(57)【特許請求の範囲】
【請求項１】
カメラ本体に対して回動可能に取り付けられ、接眼部を備えたファインダユニットと、
前記接眼部の光軸を回転中心として前記ファインダユニットに対して回転する回転部と、
回転軸が互いに直交する２つの回転ヒンジで前記回転部に連結され、撮影画像を表示可能な表示パネルとを有することを特徴とするビデオカメラ。
【請求項２】
前記表示パネルは長辺方向が前記カメラ本体の光軸方向となるように、前記ファインダユニットに収納され、前記ファインダユニットに収納されている状態から前記表示パネルを前記光軸と平行な方向に回動させた後、前記表示パネルを前記光軸と直交する方向に回動させることで、前記表示パネルを使用状態に変位させることを特徴とする請求項１に記載のビデオカメラ。
【発明の詳細な説明】
【技術分野】
【０００１】
本発明は、ビデオカメラにおける外部表示パネルの配置と可動構造に関するものである。
【背景技術】
【０００２】
図１３〜図１５は、従来のビデオカメラに連結装備されている液晶表示器の配置構成を示している（例えば、特許文献１、２参照）。図１３に示すように、従来の肩乗せスタイルで使用するビデオカメラの液晶表示器５は、カメラ本体１をホールドする右手グリップ部（不図示）が設けられている側面とは反対側の本体側面に、カメラ本体１の側面形状と同一形状となるように液晶表示面を光軸と平行に配置され、液晶表示面が隠れるようにカメラ本体に収納される。
【０００３】
撮影時または液晶表示器使用時には、図１４、図１５に示すように、回転ヒンジ機構６、７により液晶表示器５を引き出して、液晶表示器５の向き、角度の調節が可能となる。これにより、液晶表示器５は、撮影者がローアングル、ハイアングルでの撮影を行う時の撮影モニタとして使用されたり、撮影後の収録モニタとして使用されたりする。
【先行技術文献】
【特許文献】
【０００４】
【特許文献１】特開2000-83209号公報（段落番号００２４、第１図、第６図等）
【特許文献２】特開平08-294029号公報（段落番号００１７、００２０、００２１、第２図等）
【発明の概要】
【発明が解決しようとする課題】
【０００５】
図１３〜図１５に示すように、従来の肩乗せスタイルのビデオカメラにあっては、ファインダユニット２の接眼窓２aがカメラ本体１の後面側に配置されず、カメラ本体１と別体に構成されたファインダユニット２がステー３を介してカメラ本体１に連結されている。また、ファインダユニット２は人間工学的見地、ホールディングバランスを考慮して、右手グリップ部（不図示）と同様にカメラ本体の前方側に配置され、カメラ本体１に対して右手グリップ部が設けられている側とは反対側に配置されている。
【０００６】
しかしながら、上述したビデオカメラの構成にあっては次の問題が生じる。
【０００７】
１．良好なホールディングバランスを得るようにグリップ部をカメラ本体の前側に位置させているため、グリップ部を介してカメラ本体１を保持したときに、液晶表示器５の表示面と撮影者の目とが極端に近づき、撮影者が液晶表示器５を撮影モニタとして使用することが不可能である。
【０００８】
２．図１４や図１５に示すように、液晶表示器５をカメラ本体１から引き出した使用状態では、接眼窓２aよりも後方の位置となるため、この液晶表示器５によって接眼窓２ａを覗き難くしている。
【０００９】
３．撮影時、撮影者が接眼窓２ａを覗きながら、同時に、番組ディレクター等の撮影者以外の人が液晶表示器５を見て撮影画像をチェックしたい要望があるが、従来のビデオカメラの構成では、撮影者が接眼窓２ａを覗いている場合には、液晶表示器５を使用状態とさせることができない。
【００１０】
４．カメラ本体１の側面に液晶表示器５を収納しているため、カメラ本体１に操作スイッチ類を配置するスペースが無くなる。これにより、撮影時に操作しなければならないスイッチ類を配置するためのスペースを別途確保する必要があるが、この場合には、スイッチ類の配置場所によっては操作性が悪くなることがあり、また、配置スペースの増加によってカメラ本体１が大型化してしまう。
【課題を解決するための手段】
【００１１】
本発明のビデオカメラは、カメラ本体に対して回動可能に取り付けられ、接眼部を備えたファインダユニットと、前記接眼部の光軸を回転中心として前記ファインダユニットに対して回転する回転部と、回転軸が互いに直交する２つの回転ヒンジで前記回転部に連結され、撮影画像を表示可能な表示パネルとを有することを特徴とする。
【発明の効果】
【００１２】
本発明によれば、外部表示パネルをファインダユニット上に取り付けているため、従来のようにカメラ本体に取り付ける場合に比べて外部表示パネルを使いやすい構成とすることができる。しかも、ファインダユニットに外部表示パネルを設けているため、従来のようにカメラ本体に外部表示パネルを設けた場合に比べて、カメラ本体におけるスイッチ等の配置自由度を高めることができる。これにより、スイッチ等の操作性を向上させることができる。
【００１３】
外部表示パネルを、ファインダユニット上における接眼部よりも支持部材の側に取り付けることにより、外部表示パネルが邪魔とならずに接眼部を覗くことができるとともに、接眼部を覗いても、外部表示パネルでの表示を撮影者以外のものが観察することが可能となる。
【００１４】
外部表示パネルを接眼部の光軸を回転中心として回転可能な回転部に設けることで、接眼部の向きを変えることなく、外部表示パネルの高さを変えて、撮影映像を見やすくすることができる。
【００１５】
外部表示パネルを、ファインダユニットに対して、外部表示パネルの長辺方向が該ファインダユニットの光軸に対して略平行となるように収納することで、外部表示パネルを、ファインダユニットに対してコンパクトに収納させることができる。
【図面の簡単な説明】
【００１６】
【図１】本発明の実施例１の液晶表示器の収納状態を示すビデオカメラの前方斜視図。
【図２】実施例１の液晶表示器の第一使用状態を示すビデオカメラの前方斜視図。
【図３】実施例１の液晶表示器の第一使用状態を示すビデオカメラの後方斜視図。
【図４】実施例１の液晶表示器の第二使用状態を示すビデオカメラの前方斜視図。
【図５】実施例１の液晶表示器の第二使用状態を示すビデオカメラの後方斜視図。
【図６】本発明の実施例２の液晶表示器を収納した状態を示すビデオカメラの前方斜視図。
【図７】実施例２の液晶表示器の第一使用状態を示すビデオカメラの前方斜視図。
【図８】実施例２の液晶表示器の第一使用状態を示すビデオカメラの後方斜視図。
【図９】実施例２の液晶表示器の第二使用状態を示すビデオカメラの前方斜視図。
【図１０】実施例２の液晶表示器の第二使用状態を示すビデオカメラの後方斜視図。
【図１１】実施例２の液晶表示器の第三使用状態を示すビデオカメラの前方斜視図。
【図１２】実施例２の液晶表示器の第三使用状態を示すビデオカメラの後方斜視図。
【図１３】従来例の液晶表示器の収納状態を示すビデオカメラの前方斜視図。
【図１４】従来例の液晶表示器の使用状態を示すビデオカメラの前方斜視図。
【図１５】従来例の液晶表示器の使用状態を示すビデオカメラの後方斜視図。
【発明を実施するための形態】
【００１７】
以下、本発明の実施例について説明する。
【実施例１】
【００１８】
本発明の実施例１であるビデオカメラについて図１〜図５を用いて説明する。
【００１９】
図１には、液晶表示器５を収納した状態が示されている。肩乗せスタイルのビデオカメラ本体１には、別体のファインダユニット２がステー（支持部材）３を介して連結されている。このステー３は、ビデオカメラ本体１の前方上部に設けられている。
【００２０】
ビデオカメラ本体１に対してステー３で連結されているファインダユニット２は、ステー３とヒンジ軸４で連結され、ヒンジ軸４の軸（図中の一点鎖線Ａで示す）を中心として回動可能となっている。
【００２１】
液晶表示器５は、ファインダユニット２の上部に液晶表示面を下に向けた水平状態で配置された状態で収納されている。液晶表示器５は、ヒンジ部６、ヒンジ部７を介してファインダユニット２に連結されており、ファインダユニット２に対して２つの軸（図１中の一点鎖線Ｂ、Ｃで示す）周りに回動可能となっている。
【００２２】
液晶表示器５は、ファインダユニット２の水平方向における領域内に収まるように、すなわち、ファインダユニット２の水平断面形状と同一形状に形成されている。これにより、ビデオカメラの携帯時や液晶表示器５の不使用撮影時において、収納状態にある外部表示器５がファインダユニット２から突出して邪魔になることはなく、良好な操作性を実現している。
【００２３】
液晶表示器５とファインダユニット２は、２つの回転ヒンジで連結されている。ヒンジ部６はレンズ鏡筒９のレンズ光軸と平行に配置され、ファインダユニット２と連結されている。ヒンジ部６の軸に対して直交した軸を有するヒンジ部７は、液晶表示器５に連結されている。
【００２４】
一方、カメラ本体１には、撮影者の肩に乗せられる肩乗せ部１０が形成されているとともに、グリップ部１１が設けられている。
【００２５】
図２および図３には、本実施例であるビデオカメラにおける液晶表示器５の第一使用状態を示している。ファインダユニット２の上部に配置された液晶表示器５を、ヒンジ部６およびヒンジ７部の軸回りに回動させることにより、第一使用状態とさせることができる。この第一使用状態では、液晶表示器５の表示面が、接眼窓部２ａと同じ方向を向いているため、撮影者は接眼窓部２ａを覗くことができるとともに、液晶表示器５での表示を観察することができるようになっている。
【００２６】
この第一使用状態において、液晶表示器５はファインダユニット２の上面部に立ち上がり、ヒンジ部４〜７の各軸を中心として回転可能となっているため、液晶表示器５の液晶表示板５ａを、撮影者の撮影姿勢に対応した最適配置とすることができる。また、使用状態にある液晶表示器５は、ファインダユニット２の上面であって、接眼窓部２ａの前方に立ち上がるため、撮影者が接眼窓部２ａを覗いて撮影するとき、撮影者以外の番組ディレクター等が液晶表示器５を介して撮影内容を撮影者と同時に確認することが可能となる。
【００２７】
図４および図５には、本実施例のビデオカメラにおける液晶表示器５の第二使用状態を示す。この第二使用状態は、第一使用状態にあるファインダユニット２を、ヒンジ部４の軸Ａ回りに略１８０度、回転させた状態を示している。
【００２８】
この第二使用状態において、液晶表示器５は、ファインダユニット２の下側に位置しており、第一使用状態に比べ、カメラ本体１の前方に位置している。これにより、撮影者の眼の位置との距離が離れ、適切な明視距離に液晶表示器５を配置させることができ、「撮影時モニタ」としての使用が可能となる。
【００２９】
この状態における液晶表示器５の液晶表示板５ａは、ファインダユニット２をヒンジ部４の軸回りに回動させることによって、撮影者の撮影姿勢に対応した最適配置に移動させることができる。
【００３０】
本実施例によれば、液晶表示器５をファインダユニット２に設けているため、従来のように液晶表示器をカメラ本体に設ける場合に比べて、各種操作を行うためのスイッチ等をカメラ本体に配置する際の自由度を高めることができる。これにより、図１から図５に示すように、カメラ本体１の側面のうちファインダユニット２の位置している側に、スイッチ等を配置することができ、グリップ部１１でカメラ本体１を保持した状態でスイッチ等を容易に操作することが可能となる。
【００３１】
本実施例のビデオカメラによって、撮影者は多様な状況、環境の中で良好な撮影操作を行うことができ、様々な撮影スタイルに対応して液晶表示器を最適な位置に移動させることができる。
【実施例２】
【００３２】
次に、本発明の実施例２であるビデオカメラについて図６〜図１２を用いて説明する。
【００３３】
図６には、本実施例における液晶表示器５を収納した状態を示している。図７および図８には、本実施例における液晶表示器５の第一使用状態を示している。
【００３４】
本実施例は、上述した実施例１の一部を変更したものであり、具体的にはファインダユニット２と液晶表示器５の連結を異なる構成としたものである。液晶表示器５は、接眼窓部２ａの光軸を回転軸にした回転機構８によりファインダユニット２と連結されており、ファインダユニット２の上面部に立ち上がった液晶表示器５は、回転機構８、ヒンジ部６、ヒンジ部７の軸回りに回動可能となっている。回転機構８にヒンジ部６が一体で形成されている。
【００３５】
したがって、実施例の構成においても常に液晶表示器５の液晶表示板５ａを、撮影者の撮影姿勢の変化に対して適正な位置、角度に配置することができる。
【００３６】
図９および図１０には、本実施例における液晶表示器５の第二使用状態を示す。この第二使用状態は、第一使用状態にある液晶表示器５を、回転機構８によって略１８０度回転させたときの状態であり、液晶表示器５がファインダユニット２に対して下側に位置している。この使用状態においては、撮影者は、液晶表示器５での表示画像を観察しながら撮影を行うことができる。
【００３７】
図１１および図１２には、本実施例における液晶表示器５の第三使用状態を示している。この第三使用状態は、第一使用状態にあるファインダユニット２をヒンジ部４の軸回りに略１８０度回動させた状態を示す。この使用状態において、液晶表示器５は、ファインダユニット２の下面側に位置しており、第一使用状態に比べ、カメラ本体１の前方に位置している。
【００３８】
したがって、本実施例での構成においても、撮影者の眼と液晶表示器５の距離を離し、適切な明視距離に液晶表示器５の液晶表示板５ａを配置させることができ、「撮影時モニタ」としての使用が可能となる。
【００３９】
なお、本発明の実施例では、表示パネルとして液晶表示器で説明したが、ＥＬパネルやＳＥＤ（表面電界ディスプレイ）等の自己発光型の表示装置でも適用可能である。
【符号の説明】
【００４０】
１・・・ビデオカメラ本体、２・・・ファインダユニット、２ａ・・・接眼窓部
３・・・ステー、４・・・ヒンジ部、５・・・液晶表示器、５ａ・・・液晶表示板
６・・・ヒンジ部、７・・・ヒンジ部、８・・・回転機構、９・・・レンズ鏡筒、
１０・・・肩乗せ部、１１・・・グリップ部
【図１】
0004709301.tif 000002
【図２】
0004709301.tif 000003
【図３】
0004709301.tif 000004
【図４】
0004709301.tif 000005
【図５】
0004709301.tif 000006
【図６】
0004709301.tif 000007
【図７】
0004709301.tif 000008
【図８】
0004709301.tif 000009
【図９】
0004709301.tif 000010
【図１０】
0004709301.tif 000011
【図１１】
0004709301.tif 000012
【図１２】
0004709301.tif 000013
【図１３】
0004709301.tif 000014
【図１４】
0004709301.tif 000015
【図１５】
0004709301.tif 000016